(57)【要約】【課題】外筒を屈曲させたとしても内筒を圧迫せず、穿刺針の突出操作を円滑に行うことを可能とする内視鏡用注射針を提供する。【解決手段】本発明の内視鏡用注射針は、穿刺針と穿刺針を先端部に設けた内筒と内筒を摺動可能に挿通する外筒とを備える。外筒は、先端側の第一領域と、第一領域よりも基端側の第二領域を有し、第一領域は第二領域よりも柔軟に形成されている。このように外筒の先端側の領域を柔軟に形成することにより、外筒を屈曲させたとしても内筒を圧迫せず、穿刺針の突出操作を円滑に行うことを可能とする内視鏡用注射針を提供することができる。【選択図】図１
2014004229.tif 000002
【特許請求の範囲】
【請求項１】
穿刺針と前記穿刺針を先端部に設けた内筒と前記内筒を摺動可能に挿通する外筒とを備える内視鏡用注射針であって、
前記外筒は、先端側の第一領域と、前記第一領域よりも基端側の第二領域を有し、前記第一領域は前記第二領域よりも柔軟に形成されていることを特徴とする内視鏡用注射針。
【請求項２】
前記第一領域は、蛇腹状に形成されている請求項１に記載の内視鏡用注射針。
【請求項３】
前記外筒は、前記第一領域よりも先端側から前記外筒の最先端までわたる第三領域を有し、前記第一領域は前記第三領域よりも柔軟に形成されている請求項１または２に記載の内視鏡用注射針。
【請求項４】
前記第三領域は、前記穿刺針の前記内筒からの突出長さよりも長い範囲にわたって形成されている請求項３に記載の内視鏡用注射針。
【請求項５】
前記穿刺針は、内腔を有する針管を備え、前記針管の先端部は前記針管の軸方向に対して傾斜した開口部を有し、前記針管の前記開口部を臨む部分が前記軸方向に湾曲して形成されている請求項１ないし４のいずれか一項に記載の内視鏡用注射針。
【発明の詳細な説明】
【技術分野】
【０００１】
本発明は、内視鏡用注射針に関する。
【背景技術】
【０００２】
近年、内視鏡下で食道、胃、大腸等の粘膜を切除する内視鏡的粘膜切除術（ＥＭＲ）や内視鏡的粘膜下層剥離術（ＥＳＤ）が行われている。このような施術では、粘膜を切除する前に、粘膜層と筋層とを剥離する必要があり、この剥離に内視鏡用注射針が用いられている。
【０００３】
内視鏡用注射針は、例えば特許文献１に開示されているように、先端に穿刺針が設けられた内筒とその内筒を摺動自在に挿通する外筒、穿刺針の突出を操作する操作部とを有する。このような内視鏡用注射針を内視鏡の鉗子孔から挿入し、患部に生理食塩水や薬液等を注入することにより粘膜層と筋層とを剥離する。
【先行技術文献】
【特許文献】
【０００４】
【特許文献１】特許第４４９３１２６号公報
【発明の概要】
【発明が解決しようとする課題】
【０００５】
しかし、特許文献１に開示される内視鏡用注射針では、穿刺針の突出操作時に操作部での操作に対する穿刺針の応答が遅かったり、突出が不十分となったりする場合がある。通常、内視鏡用注射針は図７（ａ）に示すように先端部分が直線状の状態で穿刺針の突出操作を行う。この場合、図８（ａ）の断面図に示すように外筒と内筒の間には十分な間隙が設けられているため、外筒が内筒および穿刺針の突出を阻害することはない。
【０００６】
しかし、患部の位置によっては図７（ｂ）に示すように内視鏡用注射針の先端部分を屈曲させて穿刺針の突出操作を行う場合がある。この場合、図８（ｂ）の断面図に示すように屈曲部分では外筒が潰れて扁平となる。このため外筒が内筒を圧迫し、穿刺針の突出を阻害する。穿刺針の動きが阻害されると、操作部での操作に対する穿刺針の応答が遅かったり、突出が不十分となったりし円滑な施術の妨げとなることがある。
【０００７】
本発明は、上記の課題に鑑みてなされたものであり、外筒を屈曲させても内筒を圧迫せず、穿刺針の突出操作を円滑に行うことを可能とする内視鏡用注射針を提供するものである。
【課題を解決するための手段】
【０００８】
上記課題は、下記（１）〜（５）に記載の本発明によって解決される。
（１）穿刺針と前記穿刺針を先端部に設けた内筒と前記内筒を摺動可能に挿通する外筒とを備える内視鏡用注射針であって、
前記外筒は、先端側の第一領域と、前記第一領域よりも基端側の第二領域を有し、前記第一領域は前記第二領域よりも柔軟に形成されていることを特徴とする内視鏡用注射針。
（２）前記第一領域は、蛇腹状に形成されている（１）に記載の内視鏡用注射針。
（３）前記外筒は、前記第一領域よりも先端側から前記外筒の最先端までわたる第三領域を有し、前記第一領域は前記第三領域よりも柔軟に形成されている（１）または（２）に記載の内視鏡用注射針。
（４）前記第三領域は、前記穿刺針の前記内筒からの突出長さよりも長い範囲にわたって形成されている（３）に記載の内視鏡用注射針。
（５）前記穿刺針は、内腔を有する針管を備え、前記針管の先端部は前記針管の軸方向に対して傾斜した開口部を有し、前記針管の前記開口部を臨む部分が前記軸方向に湾曲して形成されている（１）ないし（４）のいずれか一項に記載の内視鏡用注射針。
【発明の効果】
【０００９】
本発明によれば、外筒の先端側の領域を柔軟に形成することにより、外筒を屈曲させたとしても内筒を圧迫せず、穿刺針の突出操作を円滑に行うことを可能とする内視鏡用注射針を提供することができる。
【図面の簡単な説明】
【００１０】
【図１】本発明の第一実施形態に係る内視鏡用注射針の全体図である。
【図２】本発明の第一実施形態に係る内視鏡用注射針の先端部分の拡大縦断面図であり、（ａ）先端部分を直線状とした状態、（ｂ）先端部分を屈曲させた状態を表した図である。
【図３】図２の（ａ）ＩＩＩａ−ＩＩＩａ断面図、（ｂ）ＩＩＩｂ−ＩＩＩｂ断面図である。
【図４】本発明の第二実施形態に係る内視鏡用注射針の全体図である。
【図５】本発明の第二実施形態に係る内視鏡用注射針の先端部分の拡大縦断面図であり、（ａ）穿刺針を収納した状態、（ｂ）穿刺針を突出させた状態を表した図である。
【図６】本発明の第三実施形態に係る内視鏡用注射針の穿刺針の拡大図である。
【図７】従来の内視鏡用注射針の先端部分の拡大縦断面図であり、（ａ）先端部分を直線状とした状態、（ｂ）先端部分を屈曲させた状態を表した図である。
【図８】図７の（ａ）ＶＩＩＩａ−ＶＩＩＩａ断面図、（ｂ）ＶＩＩＩｂ−ＶＩＩＩｂ断面図である。
【発明を実施するための形態】
【００１１】
＜第一実施形態＞
以下、本発明の第一実施形態に係る内視鏡用注射針について、図面に基づいて詳細に説明する。
図１は、本発明の第一実施形態に係る内視鏡用注射針１の全体図である。図２は、本実施形態に係る内視鏡用注射針１の先端部分の拡大縦断面図であり、（ａ）先端部分を直線状とした状態、（ｂ）先端部分を屈曲させた状態を表した図である。図３は、図２の（ａ）ＩＩＩａ−ＩＩＩａ断面図、（ｂ）ＩＩＩｂ−ＩＩＩｂ断面図である。
【００１２】
本実施形態の内視鏡用注射針１は、患部に生理食塩水や薬剤等を注入するための器具である。内視鏡用注射針１は、内視鏡の鉗子孔（図示せず）から挿入され患部に到達される。
【００１３】
本実施形態の内視鏡用注射針１は、図１、図２に示すように、穿刺針２と、この穿刺針２が先端部に設置された内筒３と、この内筒３が軸線方向に進退自在に挿通される内腔を有する外筒４と、を備えている。
【００１４】
穿刺針２は、患部に穿刺され生理食塩水や薬剤等を注入するための部材である。本実施形態では、穿刺針２は内腔を有する略円筒状をなしており、基端部は内筒３に接続されている。さらに、針先２１は粘膜組織や血管内にスムーズに穿刺できるようにするため、角度１０°〜４０°の範囲で斜めにカットされていることが好ましい。
【００１５】
穿刺針２の材料は、特に限定されないが、粘膜組織や血管内に穿刺できるようにするためパイプを針状に加工できることが好ましく、かつ針状になった部分が穿刺したときに折れたり、欠けたりしないような剛性が必要なためステンレス等の金属が好ましい。
【００１６】
内筒３は、基端から注入された生理食塩水や薬剤等を先端に設置された穿刺針２まで伝送する部材である。本実施形態では内筒３は、長尺な可撓管であり、基端側に内筒操作部３１を備えている。
【００１７】
内筒操作部３１は、穿刺針２の突出状態を操作するために把持される部材である。穿刺針２を外筒４から突出させる際には、内筒操作部３１を先端側に移動させる。また、穿刺針２を外筒４内に収納する際には、内筒操作部３１を基端側に移動させる。
【００１８】
さらに、内筒操作部３１は基端部側にコネクタ３２を有している。コネクタ３２には注射筒（図示せず）が接続され、生理食塩水や薬液等の液体物を注入することができる。
【００１９】
内筒３の材料については、特に限定はされないが、内筒３が外筒４内でスライドしやすいように摩擦抵抗の小さい材料が好ましい。このような材料として、例えば、ポリテトラフルオロエチレン（ＰＴＦＥ）、四フッ化エチレン・六フッ化プロピレン（ＦＥＰ）などのフッ素樹脂、ポリエチレン（ＰＥ）やポリプロピレン（ＰＰ）などのポリオレフィン、ナイロン樹脂等が挙げられる。
【００２０】
内筒操作部３１の材料は、接着等の加工性が良く硬化剤等が接触してもクラック等が発生しない程度の耐薬品性が必要で、特に限定はされないが、例えば硬質ポリ塩化ビニル（ＰＶＣ）等の硬質プラスチック樹脂が好ましい。
【００２１】
外筒４は、穿刺針２および内筒３が挿入され、これらを保護する部材である。図１に示すように、本実施形態では外筒４は長尺な可撓管であり、基端側に外筒操作部４４を備えている。
【００２２】
外筒操作部４４は、内視鏡用注射針１を内視鏡の鉗子孔に挿入するなどの操作をする際に把持される部材である。外筒操作部４４は、内腔を有する略筒状をなしており、内腔には内筒３が挿入されている。さらに、穿刺針２の突出操作においては、内筒操作部３１を収納することができ、内部で内筒操作部３１をスライドさせることができる。
【００２３】
外筒４の材料については、特に限定はされないが、内筒３が外筒４内でスライドしやすいように摩擦抵抗の小さい材料が好ましい。このような材料として、例えば、ポリテトラフルオロエチレン（ＰＴＦＥ）、四フッ化エチレン・六フッ化プロピレン（ＦＥＰ）などのフッ素樹脂、ポリエチレン（ＰＥ）やポリプロピレン（ＰＰ）などのポリオレフィン、ナイロン樹脂等が挙げられる。
【００２４】
外筒操作部４４の材料は、接着等の加工性が良く硬化剤等が接触してもクラック等が発生しない程度の耐薬品性が必要で、特に限定はされないが、例えば硬質ポリ塩化ビニル（ＰＶＣ）等の硬質プラスチック樹脂が好ましい。
【００２５】
ここで本実施形態の内視鏡用注射針１の代表的な寸法例について説明する。本実施形態の内視鏡用注射針１は全長が１２００〜２５００ｍｍ程度である。穿刺針２は、全長が１０〜１５ｍｍであり、針の大きさは２５Ｇ〜２０Ｇ（外径０．５ｍｍ〜０．９ｍｍ）であることが好ましい。内筒３の長さは１２００〜２５００ｍｍ、外径は１．６〜２．６ｍｍ、内径は０．９７〜１．９７ｍｍであることが好ましい。内筒３の外径は特に限定されないが、穿刺針２のゲージサイズより０．４〜１．０ｍｍ程大きなものにすることが好ましい。外筒４の長さは１１９０〜２４９０ｍｍ、外径は２．４〜３．０ｍｍ、内径１．９〜２．５ｍｍであることが好ましい。また、内筒グリップ３１の長さは、４５〜１８０ｍｍ、外筒操作部４４の長さは、３０〜１５０ｍｍであることが好ましい。内筒操作部３１、外筒操作部４４の外径、内径は特に限定されないが、内筒操作部３１が外筒操作部４４内でスムーズにスライドできる程度の隙間を有していることが好ましい。さらに、穿刺針２の内筒３の先端からの突出長が３〜５ｍｍであることが好ましく、外筒４からの突出距離は特に限定されないが、２〜７ｍｍが好ましく、３〜５ｍｍが更に好ましい。突出距離を上記範囲にすることで、安全に確実な穿刺が可能となる。
【００２６】
図１に示すように、本実施形態の外筒４は先端から一定の長さ範囲の第一領域４１と、第一領域４１の基端から外筒４の基端まで延びる第二領域４２を有する。第一領域４１は第二領域４２よりも柔軟に形成されている。このため外筒４の先端部分（第一領域４１）を屈曲させたときに、第一領域４１は断面形状の変化が小さく、内筒３を圧迫して穿刺針２の動きを阻害することを防止できる。
【００２７】
図１、図２に示すように、本実施形態では第一領域４１は筒体を蛇腹状に形成した領域である。第一領域４１を蛇腹状に形成することにより、第一領域４１を屈曲させると蛇腹が伸長しながら屈曲する。このため図３に示すように、外筒４の第一領域４１は断面形状がほとんど変化せず、従来の内視鏡用注射針のように屈曲部分が潰れて内筒を圧迫することが防止される。
【００２８】
なお、第一領域４１は蛇腹状に形成することに限られない。例えば、第一領域４１の材料を第二領域４２の材料よりも可撓性の高い材料で形成してもよいし、第一領域４１にスリットを設けて屈曲性を高めてもよい。
【００２９】
＜第二実施形態＞
次に本発明の第二実施形態について説明する。
以下では、第二実施形態について説明するが、第一実施形態との相違点を中心に説明し、同様の事項についてはその説明を省略する。
【００３０】
図４は、本発明の第二実施形態に係る内視鏡用注射針１の全体図である。図５は、本実施形態に係る内視鏡用注射針１の先端部分の拡大縦断面図であり、（ａ）穿刺針２を収納した状態、（ｂ）穿刺針２を突出させた状態を表した図である。
第二実施形態では、外筒４の構成が異なる以外は第一実施形態と同様である。
【００３１】
図４に示すように、本実施形態では外筒４は先端から第三領域４３、第一領域４１、第二領域４２により構成される。第一領域４１は第二領域４２および第三領域４３よりも柔軟に形成されている。すなわち、第一実施形態と同様に第一領域４１において外筒４は屈曲しやすくなっている。
【００３２】
図５に示すように、本実施形態では第一領域４１は蛇腹状に形成されている。また、第三領域４３は円筒状に形成されている。第三領域４３は穿刺針２の突出操作において、穿刺針２、特に針先２１が動く範囲の長さよりも長く形成される。したがって、穿刺針２の針先２１は常に第三領域４３内に位置する。
【００３３】
第三領域４３の剛性は第一領域４１よりも高く、第二領域４２と同等以上に形成されている。第三領域４３を容易に屈曲しないように形成することにより、針先２１の摺動部分は略直線状を維持することができる。このため、針先２１が外筒４の内面に引っかかり突出を阻害するといったことが効果的に防止できる。
【００３４】
＜第三実施形態＞
次に本発明の第三実施形態について説明する。
以下では、第三実施形態について説明するが、第一実施形態との相違点を中心に説明し、同様の事項についてはその説明を省略する。
【００３５】
図６は、本発明の第三実施形態に係る内視鏡用注射針１の穿刺針２の拡大図である。
第三実施形態では、針先２１の構成が異なる以外は第一実施形態と同様である。
【００３６】
図６に示すように、本実施形態では針先２１の一部が湾曲した形状をなしている。穿刺針２は内腔を有する針管２２を備えている。針管２２は先端側が軸方向に対して傾斜して切断されている。したがって、穿刺針２の開口２３は開口面の法線が穿刺針２の軸と交差するように形成されている。さらに本実施形態の穿刺針２の針先２１は、最先端部分が軸方向に湾曲して形成されている。このように穿刺針２の針先２１の最先端部分が湾曲していると、穿刺針２の突出操作時に針先２１が外筒４の内面に引っかかり突出を阻害することが良好に防止される。したがって、よりスムーズな突出操作を行うことができる。
【符号の説明】
【００３７】
１    内視鏡用注射針
２    穿刺針
２１  針先
２２  針管
２３  開口
３    内筒
３１  内筒操作部
３２  コネクタ
４    外筒
４１  第一領域
４２  第二領域
４３  第三領域
４４  外筒操作部
【図１】
2014004229.tif 000003
【図２】
2014004229.tif 000004
【図３】
2014004229.tif 000005
【図４】
2014004229.tif 000006
【図５】
2014004229.tif 000007
【図６】
2014004229.tif 000008
【図７】
2014004229.tif 000009
【図８】
2014004229.tif 000010